(57)【要約】      （修正有）【課題】画像データの撮影日付と関連するインターネット上のサイト画像が検索され、サイト画像を画像データと対応付けて表示する。【解決手段】画像データ表示部１２１には、画像記憶部から選択された一枚の画像データが表示される。検索指定キー１２６は、例えば、画像データの「撮影年」と「世界の１０大ニュース」と対応するサイト画像をインターネット上のウェブサイトから検索して、検索したサイト画像をサイト画像表示部１２４に、このサイト画像と関係するテキスト情報をテキスト表示部１２５に表示する。【選択図】図２
2015082214.tif 000002
【特許請求の範囲】
【請求項１】
撮影された画像データを記憶する画像記憶手段と、
前記画像データが撮影された日付を取得する撮影日付取得手段と、
前記撮影日付取得手段により取得された前記日付を含むキーワードを用いてインターネット上のウェブサイトからサイト画像を検索する検索手段と、
前記検索手段で検索された前記サイト画像を前記画像データと対応付けて表示する表示手段とを備えたことを特徴とする画像検索装置。
【請求項２】
請求項１に記載の画像検索装置において、
前記検索手段は、前記画像データが撮影された日付の年と予め定められたキーワードを用いて検索することを特徴とする画像検索装置。
【請求項３】
請求項１または２に記載の画像検索装置において、
前記検索手段は、前記サイト画像と共にテキスト情報を検索し、
前記表示手段は、前記検索された前記テキスト情報を前記サイト画像と共に表示することを特徴とする画像検索装置。
【請求項４】
請求項１〜３のいずれか１項に記載の画像検索装置において、
前記検索手段は、検索結果に予め定めた禁止ワードが含まれている場合は関連する前記サイト画像を出力しないことを特徴とする画像検索装置。
【請求項５】
請求項１〜４のいずれか１項に記載の画像検索装置において、
前記表示手段は、前記画像データと前記検索された前記サイト画像を同一画面に並列して表示し、前記サイト画像は表示を順次更新することを特徴とする画像検索装置。
【発明の詳細な説明】
【技術分野】
【０００１】
本発明は、画像を検索して表示する画像検索装置に関する。
【背景技術】
【０００２】
デジタルカメラで撮影された複数の画像データは、撮影日時順などで並べて表示して閲覧することが一般的である。例えば、デジタルカメラで撮影された画像データから、撮影日時が同一時間帯で重複する画像データを抽出して再生用データを作成する画像処理プログラムが知られている。（特許文献１）
【先行技術文献】
【特許文献】
【０００３】
【特許文献１】特許第５１６８１４７号公報
【発明の概要】
【発明が解決しようとする課題】
【０００４】
しかし、ある画像データの撮影日付と関連するインターネット上のサイト画像を閲覧するには、ユーザが手動操作で撮影日付を入力してインターネット上のサイト画像を検索しなくてはならない。
【課題を解決するための手段】
【０００５】
請求項１に記載の画像検索装置は、撮影された画像データを記憶する画像記憶手段と、画像データが撮影された日付を取得する撮影日付取得手段と、撮影日付取得手段により取得された日付を含むキーワードを用いてインターネット上のウェブサイトからサイト画像を検索する検索手段と、検索手段で検索されたサイト画像を画像データと対応付けて表示する表示手段とを備えたことを特徴とする。
【発明の効果】
【０００６】
本発明によれば、画像データの撮影日付と関連するインターネット上のサイト画像が検索され、サイト画像を画像データと対応付けて表示することが可能となる。
【図面の簡単な説明】
【０００７】
【図１】実施の形態における画像検索装置を説明するブロック図である。
【図２】実施の形態における画像検索装置の表示状態を説明する表示画面である。
【図３】実施の形態における画像検索装置の動作を示すフローチャートである。
【発明を実施するための形態】
【０００８】
以下、図面を参照しながら、本発明の一実施の形態を説明する。図１は一実施の形態による画像検索装置を説明するブロック図である。画像検索装置１は、インターネット網２を介して、インターネット上のウェブサイトであるサーバ装置３に接続される。
【０００９】
画像検索装置１は、入力部１１と、表示部１２と、通信部１３と、ＣＰＵ１４と、画像記憶部１５と、メモリ１６と、インターフェース１７とを備えている。
【００１０】
入力部１１は、使用者によって操作される、例えばキーボードやマウスなどで構成される。表示部１２は、液晶表示などで構成され、撮影された画像データとインターネット上のウェブサイトから検索されたサイト画像とを対応付けた表示画面などが表示される。通信部１３は、有線もしくは無線の通信装置で構成され、画像検索装置１をインターネット網２に接続する。
【００１１】
ＣＰＵ１４は、画像検索装置１の制御を行なうマイクロコンピュータである。ＣＰＵ１４は、メモリ１６に記録されている画像検索プログラムを実行して、画像記憶部１５に保存されている画像データの撮影日付と対応するサイト画像をインターネット上のウェブサイトから検索する。メモリ１６はＣＰＵ１４のワーキングメモリとしても使用され、たとえば、ＳＤＲＡＭにより構成される。インターフェース１７は、デジタルカメラ４との接続を行うもので、デジタルカメラ４で撮影されてデジタルカメラ４内に記憶されている画像データが読み出されて画像記憶部１５へ保存される。
【００１２】
図２は、一実施の形態における画像検索装置１の表示部１２の表示画面１２０である。表示画面１２０の画像データ表示部１２１には、画像記憶部１５から選択された一枚の画像データが表示され、その下部のテキスト表示部１２２には、画像データ表示部１２１に関係するテキスト情報が表示されている。なお、テキスト表示部１２２に表示されるテキスト情報は画像データに対応付けて画像記憶部に記憶されている。選択キー１２３は、マウスを選択キー１２３に指定してクリックすることによって、画像記憶部１５内の画像データを表示画面１２０に一覧表示するためのもので、一覧表示された画像データの中から画像データ表示部１２１に表示する画像データを選択する。
【００１３】
サイト画像表示部１２４は、画像データ表示部１２１に表示されている画像データの撮影年に対応するサイト画像を表示し、その下部のテキスト表示部１２５には、サイト画像表示部１２４に関係するテキスト情報が表示されている。
【００１４】
検索指定キー１２６は、例えば、画像データの撮影年および世界の１０大ニュースをキーワードとしてインターネット上のウェブサイトからサイト画像を検索するキーである。検索されたサイト画像はサイト画像表示部１２４に、このサイト画像と関係するテキスト情報はテキスト表示部１２５に表示される。検索指定キー１２７は、例えば、画像データの撮影年および国内の１０大ニュースをキーワードとしてインターネット上のウェブサイトからサイト画像を検索するキーである。検索されたサイト画像はサイト画像表示部１２４に、このサイト画像と関係するテキスト情報はテキスト表示部１２５に表示される。いずれもマウスを検索指定キー１２６、１２７に指定してクリックすることによって検索が指定される。検索指定キー１２６の検索の指定では、「世界の１０大ニュース」がキーワードとして自動的に指定され、検索指定キー１２７の検索の指定では、「国内の１０大ニュース」がキーワードとして自動的に指定される。図２では、検索指定キー１２６が指定されて、反転表示されている状態を示す。
【００１５】
次キー１２８は、サイト画像表示部１２４およびテキスト表示部１２５に表示されるサイト画像およびテキスト情報を次のデータに更新して表示し、前キー１２９は、サイト画像表示部１２４およびテキスト表示部１２５に表示されるサイト画像およびテキスト情報を前のデータに更新して表示する。
【００１６】
次に、画像検索処理について説明する。図３は、画像検索装置１のＣＰＵ１４によって実行される画像検索プログラムの動作を示すフローチャートである。使用者が入力部１１を操作してＣＰＵ１４により画像検索プログラムを起動すると、画像検索処理が開始される。
【００１７】
画像記憶部１５には、使用者がデジタルカメラ４で子供の誕生日等に撮影した多数の画像データが記憶されている。ステップＳ３０１では、ＣＰＵ１４は画像記憶部１５内から複数の画像データを読み出す。そして、ステップＳ３０２で、ＣＰＵ１４は、読み出した画像データを表示部１２の表示画面１２０にサムネイル画像として一覧表示する。一覧表示は適宜スクロールして表示画面１２０に表示される。
【００１８】
ステップＳ３０３で、ＣＰＵ１４は、一覧表示されているサムネイル画像の中から一つを使用者がマウスを指定してクリックして画像データを選択する。ステップＳ３０４で、ＣＰＵ１４は、選択された画像データおよび関連するテキスト情報を読み出して、表示画面１２０の画像データ表示部１２１とテキスト表示部１２２に、図２に示すように表示する。
【００１９】
ステップＳ３０５で、ＣＰＵ１４は、世界の１０大ニュースの検索指定キー１２６、または国内の１０大ニュースの検索指定キー１２７がマウスでクリック指定されたかを判別する。いずれかの検索指定キーが指定されると、ステップＳ３０６に進み、ＣＰＵ１４は、画像データ表示部１２１に表示されている画像データの例えば撮影日付を取得する。画像データにはＥｘｉｆ（登録商標）が埋め込まれており、このＥｘｉｆより撮影日付を取得する。
【００２０】
次のステップＳ３０７で、ＣＰＵ１４は、通信部１３およびインターネット網２よりインターネットに接続し、ブラウザを用いて撮影年とキーワードを指定して、インターネット検索する。世界の１０大ニュースの検索指定キー１２６がマウスにより指定された場合のキーワードは、「撮影年」と「世界の１０大ニュース」である。また、国内の１０大ニュースの検索指定キー１２７が指定された場合のキーワードは、「撮影年」と「国内の１０大ニュース」である。図２では、「世界の１０大ニュース」の検索指定キー１２６が指定された場合を示し、当該指定された検索指定キー１２６が反転表示されている。
【００２１】
ステップＳ３０８で、ＣＰＵ１４は、インターネット上のウェブサイトであるサーバ装置３から検索結果の記事を取得する。記事はテキスト情報であり、例えば、「撮影年」の「世界の１０大ニュース」、若しくは「撮影年」の「国内の１０大ニュース」がリストアップされている記事である。
【００２２】
ステップＳ３０９で、ＣＰＵ１４は、取得した記事の中で、相応しくない記事を禁止ワードを参照して削除する。禁止ワードは使用者等により予め設定されている。例えば、子供の誕生日の画像データと並べて表示するには相応しくない「事故」、「犯罪」などを禁止ワードとして予め設定しておく。
【００２３】
ステップＳ３１０で、ＣＰＵ１４は、記事の中から一般的なワードを除去して主要ワードを抽出する。例えば、「オリンピック」、「ロンドン」、「開催」などが主要ワードとして抽出される。ステップＳ３１１で、ＣＰＵ１４は、「撮影年」と抽出した主要ワードをキーワードとして、通信部１３およびインターネット網２よりインターネットに接続し、インターネット検索してサイト画像が含まれるウエブページが読み出される。
【００２４】
ステップＳ３１２で、ＣＰＵ１４は、サイト画像が含まれるウエブページからサイト画像を抽出し、画像品質、画像サイズなどを評価して一つのサイト画像を決定し、ステップＳ３１３で、ＣＰＵ１４は、決定したサイト画像とその記事を対応付けてメモリ１６に記憶する。
【００２５】
次のステップＳ３１４では、ＣＰＵ１４は、ステップＳ３０８でリストアップされた記事であって、ステップＳ３０９で削除された記事を除く全ての記事に対応するサイト画像を取得したかを判別する。例えば、「撮影年」の「世界の１０大ニュース」の記事に対応するサイト画像を取得したかを判別する。記事に対応するサイト画像を全て取得していなければ、ステップＳ３１０〜ステップＳ３１３の処理を繰り返す。
【００２６】
記事に対応するサイト画像を全て取得した場合は、ステップＳ３１５で、ＣＰＵ１４は、メモリ１６に記憶したサイト画像の一つと対応する記事を読み出す。そして、ステップＳ３１６で、ＣＰＵ１４は、図２に示すように、読み出したサイト画像をサイト画像表示部１２４に、このサイト画像と関係する記事をテキスト表示部１２５に表示する。このように、画像データ表示部１２１に表示されている画像データに対応付けて、サイト画像をサイト画像表示部１２４に表示することができる。
【００２７】
ステップＳ３１７で、ＣＰＵ１４は、次キー１２８が指定されたかを判別し、指定された場合は、ステップＳ３１８で、ＣＰＵ１４は、メモリ１６から次のサイト画像と記事を読出し、ステップＳ３１６に戻り、次のサイト画像をサイト画像表示部１２４に、このサイト画像と関係する記事をテキスト表示部１２５に表示する。
【００２８】
ステップＳ３１７で、次キー１２８が指定されていない場合は、ステップＳ３１９で、ＣＰＵ１４は、前キー１２９が指定されたかを判別し、指定された場合は、ステップＳ３２０で、ＣＰＵ１４は、メモリ１６から前のサイト画像と記事を読出し、ステップＳ３１６に戻り、前のサイト画像をサイト画像表示部１２４に、このサイト画像と関係する記事をテキスト表示部１２５に表示する。
【００２９】
ステップＳ３１９で、前キー１２９が指定されていない場合は、ステップＳ３２１で、ＣＰＵ１４は、「世界の１０大ニュース」の検索指定キー１２６、または「国内の１０大ニュース」の検索指定キー１２７が指定されたかを判別する。いずれかのキーが指定されると、ステップＳ３０６に戻り、指定されたキーに対応して前述したステップＳ３０６以下の処理を実行する。
【００３０】
ステップＳ３２１で、「世界の１０大ニュース」の検索指定キー１２６、および「国内の１０大ニュース」の検索指定キー１２７のいずれも指定されていない場合は、ステップＳ３２２に進み、ＣＰＵ１４は、選択キー１２３が指定されたかを判別し、選択キー１２３が指定された場合は、ステップＳ３０１の画像記憶部１５からの画像データの読み出し処理に戻り、以降の処理により新たな画像データが選択される。ステップＳ３２２で、選択キー１２３が指定されていない場合は、ステップＳ３２３に進む。ステップＳ３２３で、ＣＰＵ１４は、画像検索プログラムを終了する指定（図示省略）がなされたか判別し、終了の場合は画像検索プログラムを終了する。終了ではない場合は、ステップＳ３１７に戻り、以降の処理を実行する。
【００３１】
（変形例）
以上で説明した一実施の形態を次のように変形して実施することができる。
（１）検索指定キー１２６の検索の指定では、「世界の１０大ニュース」がキーワードとして自動的に指定され、検索指定キー１２７の検索の指定では、「国内の１０大ニュース」がキーワードとして自動的に指定される例で説明した。このような全般的な１０大ニュースに限らず、政治、スポーツ等の分野を指定するキーを設けてもよい。ニュースに限らず、特定の話題、出来事などであってもよい。また、予め定められたキーワードを指定する検索指定キー１２６、１２７を設けたが、ユーザがキーワードを任意に入力して検索指定するようにしてもよい。
【００３２】
（２）画像データの日付として「撮影年」を基にサイト画像を検索したが、画像データの日付として年月日を含む撮影日で検索しても良く、撮影時間を含んでもよい。例えば、画像データの日付として年月日を含む撮影日で検索した場合は、撮影日と同日のニュースなどのサイト画像を閲覧することができる。
【００３３】
（３）画像データ表示部１２１に画像データを、サイト画像表示部１２４に、画像データに関係するサイト画像を並列して表示したが、サイト画像を画像データと対応付けて表示すればよく、例えば、サイト画像は表示画面１２０にウインドウ表示で表示してもよい。更に、サイト画像は１枚だけでなく複数枚を同時に表示してもよい。
【００３４】
以上で説明した実施の形態における画像検索装置によれば、以下の作用効果が得られる。
（１）撮影された画像データを記憶する画像記憶部１５と、画像データが撮影された日付をＥｘｉｆより取得するＣＰＵ１４と、取得された日付を含むキーワードを用いてインターネット上のウェブサイトからサイト画像を検索するＣＰＵ１４と、検索されたサイト画像を画像データと対応付けて表示する表示部１２とを備えたので、画像データの撮影日付と関連するインターネット上のサイト画像が検索され、サイト画像を画像データと対応付けて表示することが可能となる。
【００３５】
（２）サイト画像は、画像データが撮影された日付の年と予め定められたキーワードを用いて検索されるので、画像データが撮影された年に対応する１０大ニュース等のサイト画像を対応付けて表示することにより、その画像データが撮影された年の出来事も含めて、画像データを閲覧することができる。
【００３６】
（３）サイト画像と共にテキスト情報を検索し、検索されたテキスト情報をサイト画像と共に表示するので、画像データが撮影された日付に起こった出来事などを閲覧することができる。
【００３７】
（４）検索結果に予め定めた禁止ワードが含まれている場合は関連するサイト画像を出力しないので、閲覧するのに不適切なサイト画像を排除できる。
【００３８】
（５）表示部は、画像データと検索されたサイト画像を同一画面に並列して表示し、サイト画像は表示を順次更新するので、画像データと対応付けてサイト画像を閲覧することができる。
【００３９】
本発明は、上記の実施の形態に限定されるものではなく、本発明の特徴を損なわない限り、本発明の技術思想の範囲内で考えられるその他の形態についても、本発明の範囲内に含まれる。
【符号の説明】
【００４０】
１・・・画像検索装置、３・・・サーバ装置、４・・・デジタルカメラ、１１・・・入力部、１２・・・表示部、１４・・・ＣＰＵ、１５・・・画像記憶部、１６・・・メモリ
【図１】
2015082214.tif 000003
【図２】
2015082214.tif 000004
【図３】
2015082214.tif 000005